(57)【要約】【課題】本発明の課題は、高画質な有料コンテンツの閲覧を制御できるシステムを提供することである。【解決手段】広告再生累積時間とＤＶＤプレーヤから受信したコンテンツ再生鍵を記憶するＩＣカードと、ＩＣカードが記憶する広告再生累計時間とコンテンツを識別する情報を含む再生鍵発行依頼書を作成して、再生鍵配布サーバ装置に送信し、返信されたコンテンツ再生鍵を受信して、暗号化されたコンテンツを復号して、再生表示するＤＶＤプレーヤと、受信した再生鍵発行依頼書に含まれる広告再生累積時間が再生許可基準時間を超えているか否かを判定して、コンテンツ再生鍵をＩＣカードに返信する再生鍵配布サーバ装置とから構成されるコンテンツ閲覧システムである。【選択図】図１
2008271345.tif 000002
【特許請求の範囲】
【請求項１】
ＩＣカードと、ネットワークを介して接続されるＤＶＤプレーヤと再生鍵配布サーバ装置とから構成されるコンテンツ閲覧システムであって、
前記ＩＣカードは、
広告再生累積時間とＤＶＤプレーヤから受信したコンテンツ再生鍵を記憶する記憶手段
を備えるＩＣカードであって、
前記ＤＶＤプレーヤは、
ＤＶＤに記録されている広告の再生時間を計測する再生時間計測手段と、
コンテンツ再生鍵の入手指示の入力を受け付けて、前記ＩＣカードの記憶手段に記憶されている広告再生累計時間と、コンテンツを識別する情報を含む再生鍵発行依頼書を作成して、前記再生鍵配布サーバ装置に送信し、広告再生累計時間がコンテンツ再生許可時間を越えていたときに前記再生鍵配布サーバ装置が返信したコンテンツ再生鍵を受信して、前記ＩＣカードの記憶手段に記憶するコンテンツ再生鍵発行依頼手段と、
コンテンツ再生指示の入力を受け付けて、該当するコンテンツの再生鍵をＩＣカードから取得する再生鍵受信手段と、
前記受信したコンテンツ再生鍵を用いて、暗号化されたコンテンツを復号して、再生表示する復号再生手段と、
を備えるＤＶＤプレーヤであって、
前記再生鍵配布サーバ装置は、
再生許可基準時間データと、
コンテンツに対応付けられたコンテンツ再生鍵データと、
を記憶する記憶手段と、
前記受信した再生鍵発行依頼書に含まれる前記ＩＣカードの記憶手段に記憶されている広告再生累積時間が再生許可基準時間を超えているか否かを判定する判定手段と、
コンテンツ識別情報に対応するコンテンツ再生鍵をＩＣカードに返信する再生鍵返信手段と、
を備えるサーバ装置である
ことを特徴とするコンテンツ閲覧制御システム。
【請求項２】
前記ＩＣカードは、
前記記憶手段が、ＩＣカード識別情報と、ＩＣカード識別情報に対応付けられた復号鍵情報と、ＤＶＤプレーヤから受信したコンテンツ再生鍵とを記憶して、
ＤＶＤプレーヤが送信する再生鍵要求を受信して、該当する暗号化されたコンテンツ再生鍵を、復号鍵情報で復号して、送信する手段を備える
ＩＣカードであって、
前記ＤＶＤプレーヤは、
前記再生鍵発行依頼手段が、コンテンツを選択する入力を受け付けて、前記ＩＣカードの記憶手段に記憶されているＩＣカード識別情報と広告再生累計時間と、コンテンツを識別する情報を前記再生鍵配布サーバ装置に送信し、広告再生累計時間がコンテンツ再生許可基準時間を越えていたときに前記再生鍵配布サーバ装置が返信したコンテンツ再生鍵を受信して、前記ＩＣカードの記憶手段に記憶する
ことを特徴とするＤＶＤプレーヤであって、
前記再生鍵配布サーバ装置は、
前記記憶手段が、コンテンツ再生許可基準時間と、コンテンツ識別情報に対応付けられたコンテンツ再生鍵と、ＩＣカード識別情報に対応付けられた暗号化鍵とを記憶して、
前記再生鍵返信手段が、前記受信した再生鍵発行依頼書に含まれるコンテンツ識別情報に対応するコンテンツ再生鍵を記憶手段から選択して、前記受信した再生鍵発行依頼書に含まれるＩＣカード識別情報に対応付けられた暗号化鍵を記憶手段から選択して、この暗号化鍵を用いてコンテンツ再生鍵を暗号化して、返信する
サーバ装置である
ことを特徴とする請求項１に記載のコンテンツ閲覧制御システム。
【請求項３】
前記再生鍵配布サーバ装置において、
前記再生鍵返信手段は、減算時間を返信して、
前記ＩＣカードにおいて、
前記累積時間更新手段は、再生鍵配布サーバ装置からＤＶＤプレーヤを経由して減算時間を受信して、記憶手段に記憶されている広告再生累積時間から前記減算時間を減算する
ことを特徴とする請求項１あるいは請求項２に記載のコンテンツ閲覧制御システム。
【発明の詳細な説明】
【技術分野】
【０００１】
本発明は、パッケージメディア（＝ＤＶＤ）のコンテンツ閲覧を許可するシステムに関するものである。
【背景技術】
【０００２】
従来から、有料コンテンツの再生閲覧において、閲覧者が広告を見ることによって、広告主が料金を肩代わり（全額またはその一部）することがある。
【０００３】
たとえば、特許文献１では、通信回線で配信される広告を見てポイントを貯めて、同様に、通信回線で配信される有料コンテンツを利用するときに、このポイントを対価として支払う技術が開示されている。
【特許文献１】特開２００６−１７８８９０号公報（段落００２９−段落００３７、図３）
【発明の開示】
【発明が解決しようとする課題】
【０００４】
ところで、特許文献１の技術では、コンテンツを配信する通信網の回線容量に限界があるために、たとえば、高画像のコンテンツを配信したければ、長時間の配信時間を要してしまうという不便がある。
また、コンテンツは通信網を介して配信されるので、通信環境が整わない場所では、コンテンツを閲覧できないという不具合がある。
【０００５】
本発明はこのような点を解決するためになされたものであって、本発明の課題は、高画質な有料コンテンツの閲覧を制御できるシステムを提供することである。
【課題を解決するための手段】
【０００６】
本発明は、以下のような解決手段により、前記課題を解決する。すなわち、請求項１の発明は、ＩＣカード（１００）と、ネットワークを介して接続されるＤＶＤプレーヤ（３００）と再生鍵配布サーバ装置（５００）とから構成されるコンテンツ閲覧システムであって、前記ＩＣカードは、広告再生累積時間とＤＶＤプレーヤ（３００）から受信したコンテンツ再生鍵を記憶する記憶手段を備えるＩＣカードであって、前記ＤＶＤプレーヤ（３００）は、ＤＶＤに記録されている広告の再生時間を計測する再生時間計測手段と、コンテンツ再生鍵の入手指示の入力を受け付けて、前記ＩＣカードの（１００）記憶手段に記憶されている広告再生累計時間と、コンテンツを識別する情報を含む再生鍵発行依頼書を作成して、前記再生鍵配布サーバ装置（５００）に送信し、広告再生累計時間がコンテンツ再生許可時間を越えていたときに前記再生鍵配布サーバ装置（５００）が返信したコンテンツ再生鍵を受信して、前記ＩＣカード（１００）の記憶手段に記憶するコンテンツ再生鍵発行依頼手段と、コンテンツ再生指示の入力を受け付けて、該当するコンテンツの再生鍵（５９１）をＩＣカードから取得する再生鍵受信手段と、前記受信したコンテンツ再生鍵を用いて、暗号化されたコンテンツを復号して、再生表示する復号再生手段と、を備えるＤＶＤプレーヤであって、前記再生鍵配布サーバ装置（５００）は、再生許可基準時間データ（５９３）と、コンテンツに対応付けられたコンテンツ再生鍵データ（５９１）と、を記憶する記憶手段と、前記受信した再生鍵発行依頼書に含まれる前記ＩＣカードの記憶手段に記憶されている広告再生累積時間が再生許可基準時間（５９３）を超えているか否かを判定する判定手段と、コンテンツ識別情報に対応するコンテンツ再生鍵（５９１）をＩＣカードに返信する再生鍵返信手段と、を備えるサーバ装置であることを特徴とするコンテンツ閲覧制御システムである。
【０００７】
ここで、広告を見た時間の累計が再生許可基準時間を超えると、暗号化されたコンテンツを再生表示させるコンテンツ再生鍵を入手することができる。
【０００８】
請求項２の発明は、ＩＣカード（１００）は、記憶手段が、ＩＣカード識別情報（１９２）と、ＩＣカード識別情報に対応付けられた復号鍵情報（１９４）と、ＤＶＤプレーヤから受信したコンテンツ再生鍵とを記憶して、ＤＶＤプレーヤが送信する再生鍵要求を受信して、該当する暗号化されたコンテンツ再生鍵を、復号鍵情報で復号して、送信する手段を備えるＩＣカードであって、ＤＶＤプレーヤ（３００）は、前記再生鍵発行依頼手段が、コンテンツを選択する入力を受け付けて、前記ＩＣカード（１００）の記憶手段に記憶されているＩＣカード識別情報（１９２）と広告再生累計時間（１９７）と、前記コンテンツ再生鍵を識別する情報を前記再生鍵配布サーバ装置（５００）に送信し、広告再生累計時間がコンテンツ再生基準許可時間を越えていたときに前記再生鍵配布サーバ装置（５００）が返信したコンテンツ再生鍵を受信して、前記ＩＣカードの記憶手段に記憶することを特徴とするＤＶＤプレーヤであって、再生鍵配布サーバ装置（５００）は、前記記憶手段が、コンテンツ再生許可基準時間と、コンテンツ識別情報に対応付けられたコンテンツ再生鍵（５９１）と、ＩＣカード識別情報に対応付けられた暗号化鍵（５９５）とを記憶して、前記再生鍵返信手段が、前記受信した再生鍵発行依頼書に含まれるコンテンツ識別情報に対応するコンテンツ再生鍵（５９１）を記憶手段から選択して、前記受信した再生鍵発行依頼書に含まれるＩＣカード識別情報に対応付けられた暗号化鍵を記憶手段から選択して、この暗号化鍵（５９５）を用いてコンテンツ再生鍵を暗号化して、返信するサーバ装置であることを特徴とする請求項１に記載のコンテンツ閲覧制御システムである。
【０００９】
請求項３の発明は、前記再生鍵配布サーバ装置において、前記再生鍵返信手段は、減算時間を返信して、前記ＩＣカードにおいて、前記累積時間更新手段は、再生鍵配布サーバ装置からＤＶＤプレーヤを経由して減算時間を受信して、記憶手段に記憶されている広告再生累積時間から前記減算時間を減算することを特徴とする請求項１あるいは請求項２に記載のコンテンツ閲覧制御システムである。
【発明の効果】
【００１０】
本願発明によれば、
（１）ユーザがＤＶＤに記録されている広告を視聴することによって、ＩＣカードにＤＶＤのコンテンツを復号する鍵が記録され、ユーザはＩＣカードを利用していつでもＤＶＤのコンテンツを視聴することが可能となる。
（２）広告を一度見れば、コンテンツを所望の場所で繰り返し閲覧することが可能となる。
【発明を実施するための最良の形態】
【００１１】
以下、図面等を参照しながら、本発明の実施の形態について、更に詳しく説明する。
【００１２】
図１は、コンテンツ閲覧制御システムの概要を説明する図である。
コンテンツ閲覧制御システム１は、ＩＣカード１００と、ネットワーク９００を介して接続されるＤＶＤプレーヤ３００と再生鍵配布サーバ装置５００から構成される。
ＤＶＤプレーヤ３００は、ＩＣカードリーダを備える。ＤＶＤプレーヤ３００が用いるＤＶＤ７００には、広告と暗号化されたコンテンツが記憶されており、ユーザはＤＶＤに記録されている広告をある一定時間視聴することにより、暗合化されたコンテンツを解凍する鍵を入手することができる。
【００１３】
ＩＣカード１００は、コンピュータプログラムによって制御される電子媒体である。ＩＣカード１００のコンピュータプログラムは、たとえば，Ｃ＋＋コンピュータ言語にて機能を追加することができる。
【００１４】
なお、ＩＣカード１００の代わりに、ＲＦＩＤ（＝ＩＣタグ）を用いてもよい。
【００１５】
ＤＶＤプレーヤ３００は、ＤＶＤドライブ装置を備える、コンピュータプログラムによって制御されるパーソナルコンピュータである。ＤＶＤプレーヤ３００のコンピュータプログラムは、たとえば，Ｃ＋＋コンピュータ言語にて機能を追加することができる。
【００１６】
再生鍵配布サーバ装置５００は、コンピュータプログラムによって制御されるサーバコンピュータである。再生鍵配布サーバ装置５００のコンピュータプログラムは、既存のデーターベース管理プログラムを用いてよい。再生鍵配布サーバ装置５００のコンピュータプログラムは、たとえば，Ｃ＋＋コンピュータ言語にて機能を追加することができる。
【００１７】
図２は、ＤＶＤ７００のデータ形式ある。ＤＶＤ７００に記録されるデータは、少なくともひとつのコンテンツ７００ａと広告７００ｂから構成される。コンテンツ７００ａは、コンテンツ識別情報と、スクランブル処理された映像（＝暗号化された映像）を含むデータである。広告７００ｂは、映像や音声含むデータである。
【００１８】
図３は、ＤＶＤプレーヤ３００の詳細な構成図である。ＤＶＤプレーヤ３００は、ＣＰＵ３０１と、通信部３０２と、ＤＶＤ読取部３０３と、ＩＣカードリーダ３０４と、メモリ（＝記憶手段）3０９と、専用プログラムとを備える。
【００１９】
通信部３０２は、ネットワーク接続端子（たとえば、ＬＡＮオネクタ）である。ＤＶＤ読取部３０３は、光ピックアップデバイスである。ＩＣカードリーダ３０４は、アンテナコイルや、接触端子板である。メモリ３０９は、半導体メモリや磁気メモリである。
【００２０】
専用プログラムは、再生時間計測手段３１０と、再生鍵発行依頼手段３２０と、再生鍵転送手段３３０と、再生鍵受信手段３４０と、復号再生手段３５０とから構成される。
【００２１】
再生時間計測手段３１０と、ＤＶＤの広告の再生時間を計測して、ＩＣカード１００に送信する。
【００２２】
再生鍵発行依頼手段３２０は、ユーザからコンテンツ再生鍵の入手指示の入力を受け付けると、ＩＣカード１００の記憶手段から広告再生累積時間を読み出し、広告再生累計時間とコンテンツ識別情報を含む再生鍵発行依頼書を作成して、再生鍵発行依頼書を再生鍵配布サーバ装置５００に送信する。
再生鍵配布サーバ装置５００が、再生鍵発行依頼書を受け付けて、再生鍵発行依頼書から
【００２３】
広告再生累積時間を読み出し、一定の時間を越えていれば、所定のコンテンツ再生鍵をＤＶＤプレーヤ３００に返信するので、再生鍵受信手段３４０は、再生鍵配布サーバ装置５００が返信所定のコンテンツ再生鍵を受信してＩＣカードのメモリに記録する。
【００２４】
ＤＶＤプレーヤ３００は、ユーザからコンテンツ再生指示の入力を受け付けて、ＩＣカード１００から該当するコンテンツ再生鍵５９１を取得する。
復号再生手段３５０は、コンテンツ再生鍵５９１を用いて、ＤＶＤに記録されている暗号化されたコンテンツを復号して、再生する。
【００２５】
図４は、ＩＣカード１００の詳細な構成図である。ＩＣカード１００は、ＣＰＵ１０１と、通信部１０７と、メモリ１０９と、専用プログラムとを備える。
【００２６】
通信部１０７は、アンテナコイルやネットワーク接続端子である。メモリ１０９は、半導体メモリや磁気メモリである。メモリ１０９は、広告再生累積時間１９７を記憶する。
【００２７】
専用プログラムは、累積時間更新手段１２０と、再生鍵記録手段１３０から構成される。
【００２８】
累積時間更新手段１２０は、ＤＶＤプレーヤ３００がＤＶＤに記録されている広告を再生した広告再生時間をＩＣカード１００のメモリに記憶されている広告再生累積時間に加算して、ＩＣカード１００のメモリに記憶されている広告再生累積時間を更新する。
あるいは、累積時間更新手段１２０は、再生鍵配布サーバ装置５００からＤＶＤプレーヤ３００を経由してコンテンツ再生鍵５９１を受信したときに、ＩＣカード１００のメモリに記憶されている広告再生累積時間から所定の時間（たとえば、再生許可基準時間データ５９３。詳細は後述する）を減算する。
【００２９】
再生鍵記録手段１３０は、ＤＶＤプレーヤ３００が再生鍵配布サーバ装置５００から取得したコンテンツ再生鍵をＩＣカード１００の記憶手段に記録する。
【００３０】
図５は、再生鍵配布サーバ装置５００の詳細な構成図である。再生鍵配布サーバ装置５００は、ＣＰＵ５０１と、通信部５０２と、メモリ５０９と、専用プログラムとを備える。
【００３１】
通信部５０２は、ネットワーク接続端子（たとえば、ＬＡＮコネクタ）である。
メモリ５０９は、再生許可基準時間データ５９３と、コンテンツ再生鍵データ５９１とを記憶する。
【００３２】
コンテンツ再生鍵データ５９１は、コンテンツ識別情報に対応付けられており、コンテンツ毎にコンテンツ再生鍵データが用意されている。または、一つのコンテンツ再生鍵データで複数のコンテンツが対応するようにしてもよい。
【００３３】
再生許可基準時間データ５９３は、ユーザがＤＶＤに記録されている広告を視聴した累計時間がこの再生許可基準時間より長ければ、ＤＶＤに記録されているコンテンツを視聴でき、ユーザがＤＶＤのコンテンツを視聴するための広告視聴時間の基準を示している。具体的には、ＩＣカードのメモリに記憶されている広告再生累積時間１９７と再生許可基準時間データ５９３を比較して、広告再生累計時間１９７が再生許可基準時間データ５９３を越えていれば、コンテンツ再生鍵データ５９１が発行される。
なお、再生許可基準時間データ５９３は、コンテンツ（＝コンテンツ識別情報）ごとに異なったデータでもよいし、同じでもよい。
【００３４】
専用プログラムは、判定手段５２０と、再生鍵返信手段５３０とから構成される。
【００３５】
判定手段５２０は、ＤＶＤプレーヤ３００が送信する再生鍵発行依頼書を受信して、再生鍵発行依頼書に含まれる広告再生累積時間が再生許可基準時間５９３を超えているか否かを判定する。再生鍵返信手段５３０は、前記受信した再生鍵発行依頼書に含まれるコンテンツ識別情報に対応するコンテンツ再生鍵５９１を選択して、返信する。このとき、再生鍵返信手段５３０は、再生許可基準時間５９３（あるいは、所定の時間でもよい）を同時に返信する。
【００３６】
図６は、コンテンツ閲覧制御処理の手順を説明する図である。
（１）ＤＶＤプレーヤ３００の再生時間計測手段３１０は、ＤＶＤに記録されている広告の再生時間を計測して、（ステップＳ１１０）ＩＣカード１００に送信し、累積時間更新手段１２０が受信した再生時間をＩＣカードのメモリの広告再生累積時間に加算して、広告再生累積時間を更新する。（ステップＳ１１１）
【００３７】
（２）ＤＶＤプレーヤ３００の再生鍵発行依頼手段３２０は、ユーザからコンテンツ再生鍵の入手指示の入力を受け付けて、ＩＣカード１００から広告累積時間を取得して、該当するコンテンツの識別情報を含む再生鍵発行依頼書を作成して、再生鍵配布サーバ装置５００に送信する。（ステップＳ１１２）
【００３８】
（３）再生鍵配布サーバ装置５００の判定手段５２０は、ＤＶＤプレーヤから受信した再生鍵発行依頼書に含まれる広告再生累積時間が再生鍵配布サーバ装置５００の記憶手段に記録されている再生許可基準時間５９３を超えているか否かを判定する。（ステップＳ１１３）
（４）広告再生累積時間が再生許可基準時間５９３を超えていれば、再生鍵返信手段５３０は、再生鍵発行依頼書に含まれるコンテンツ識別情報に対応するコンテンツ再生鍵５９１を選択して、ＤＶＤプレーヤ３００を経由してＩＣカード１００に送信する。（ステップＳ１１４）
（５）ＩＣカード１００の再生鍵記録手段１３０は、再生鍵配布サーバ装置１００からＤＶＤプレーヤ３００を経由して送られてきてコンテンツ再生鍵５９１を記憶手段に記録する。（ステップＳ１１５）
【００３９】
（６）ＤＶＤプレーヤ３００は、ユーザのコンテンツ再生指示の入力を受け付けて、該当するコンテンツの再生鍵をＩＣカード１００から取得する。（ステップＳ１１６）
（７）ＤＶＤプレーヤ３００は、ＩＣカード１００から取得したコンテンツ再生鍵を用いて、復号再生手段３５０により暗号化されたコンテンツを復号して、再生表示する。（ステップＳ１１７）
【００４０】
（実施例）
暗号化されたコンテンツ再生鍵データ５９１を用いる場合の実施例を説明する。
【００４１】
図７は、ＩＣカード１００の詳細な構成図である。ＩＣカード１００のハードウエア構成は、図４のハードウエア構成と同じである。
【００４２】
メモリ１０９は、広告再生累積時間１９７と、ＩＣカード識別情報１９２と、復号鍵情報１９４とを記憶する。復号鍵情報１９４は、ＩＣカード識別情報に対応付けられた情報である。
【００４３】
専用プログラムの構成は、図４の専用プログラムの構成と同じである。
累積時間更新手段１２０は、ＤＶＤプレーヤ３００が送信する累積時間受信して、ＩＣカード識別情報１９２と広告再生累積時間１９７をメモリ１０９に記録する。
再生鍵送信手段１４０は、暗号化されたコンテンツ再生鍵５９１を、復号鍵情報１９４で復号して、ＤＶＤプレーヤ３００に送信する。専用プログラムのその他の手段の機能は、図３の手段の機能と同じである。
【００４４】
ＤＶＤプレーヤ３００の詳細な構成は、図３の詳細な構成と同じである。（図示せず）
【００４５】
専用プログラムの再生鍵発行依頼手段３２０は、ユーザからコンテンツ再生鍵の入手指示の入力を受け付けると、ＩＣカード１００からＩＣカード識別情報１９２と広告再生累積時間１９７を取得し、再生したいコンテンツの識別情報を含む再生鍵発行依頼書を作成して再生鍵配布サーバ装置５００に送信する。
【００４６】
専用プログラムのその他の手段の機能は、図３の手段の機能と同じである。
【００４７】
図８は、再生鍵配布サーバ装置５００の詳細な構成図である。
再生鍵配布サーバ装置５００のハードウエア構成は、図５のハードウエア構成と同じである。
メモリ５０９は、再生許可基準時間データ５９３と、コンテンツ再生鍵データ５９１と、暗号化鍵データ５９５とを記憶する。暗号化鍵データ５９５は、ＩＣカード識別情報に対応付けられているデータである。
【００４８】
専用プログラムの再生鍵返信手段５３０は、再生鍵発行依頼書のコンテンツ識別情報に対応するコンテンツ再生鍵５９１とＩＣカード識別情報に対応付けられた暗号化鍵５９５を選択して、暗号化されたコンテンツ再生鍵を暗号化して、ＤＶＤレコーダ３００に返信する。
【００４９】
専用プログラムのその他の手段の機能は、図５の手段の機能と同じである。
【００５０】
このように、再生鍵配布サーバ装置５００が記憶されているコンテンツ再生鍵５９１を、ＤＶＤプレーヤ３００に装着したＩＣカード１００に送信するときに、コンテンツ再生鍵５９１を暗号化することで、他人がこのコンテンツ再生鍵５９１を盗用することを防ぐことが可能である。
【００５１】
以上詳しく説明したように、本願発明によれば、
（１）ユーザがＤＶＤに記録されている広告を視聴することによって、ＩＣカードにＤＶＤのコンテンツを復号する鍵が記録され、ユーザはＩＣカードを利用していつでもＤＶＤのコンテンツを視聴することが可能となった。
（２）広告を一度見れば、コンテンツを所望の場所で繰り返し閲覧することが可能となった。
【図面の簡単な説明】
【００５２】
【図１】コンテンツ閲覧制御システムの概要を説明する図
【図２】ＤＶＤのデータ形式
【図３】ＤＶＤプレーヤ３００の詳細な構成図
【図４】ＩＣカード１００の詳細な構成図
【図５】再生鍵配布サーバ装置５００の詳細な構成図
【図６】コンテンツ閲覧制御処理の手順を説明する図
【図７】（実施例）ＩＣカード１００の詳細な構成図
【図８】（実施例）再生鍵配布サーバ装置５００の詳細な構成図
【符号の説明】
【００５３】
１  コンテンツ閲覧制御システム
１００  ＩＣカード
１２０  累積時間更新手段
１３０  再生鍵記録手段
１４０  再生鍵返信手段
１９２  ＩＣカード識別情報
１９４  復号鍵情報
１９７  広告再生累積時間
３００  ＤＶＤプレーヤ
３１０  再生時間計測手段
３２０  再生鍵発行依頼手段
３４０  再生鍵受信手段
３５０  復号再生手段
５００  再生鍵配布サーバ装置
５２０  判定手段
５３０  再生鍵返信手段
５９１  コンテンツ再生鍵データ
５９３  再生許可基準時間データ
７００  ＤＶＤ
７００ａ  コンテンツ
７００ｂ  広告
９００  ネットワーク
【図１】
2008271345.tif 000003
【図２】
2008271345.tif 000004
【図３】
2008271345.tif 000005
【図４】
2008271345.tif 000006
【図５】
2008271345.tif 000007
【図６】
2008271345.tif 000008
【図７】
2008271345.tif 000009
【図８】
2008271345.tif 000010